(57)【要約】      （修正有）【課題】外開き窓用のスライド式網戸装置において、窓を閉じたときに網に付着していた虫が室内に入り込む問題、窓枠の外に設置したレールや網戸と窓周辺のカーテン、ブラインド等との位置関係や清掃時の問題、さらに網戸使用中の防犯対策を考慮した網戸装置を提供する。【解決手段】虫が張り込む問題については、シンプルな角材から成る虫ストッパー１３を窓の本体９に取り付けた網戸装置を、窓周辺の配置物とレール４，５や網戸１との位置関係の問題については、装置全体を窓枠１１内に納めた網戸装置を、また、防犯対策については、導線とアラーム装置による警報システムを備えた網戸装置とする。【選択図】図３
0003183380.tif 000002
【実用新案登録請求の範囲】
【請求項１】
外開き窓用のスライド式網戸装置であって、窓枠室内側の窓の上部及び下部にそれぞれ幅方向に設置された上部レール及び下部レールと、
窓の室内側に窓と平行に設置された矩形の平板パネルと、
同じく窓の室内側に窓と平行に設置された矩形の平板型網戸と、
前記外開き窓本体室内側表面の開閉操作用取っ手と窓ガラス面とに挟まれた位置に垂直方向に設置された縦長の角材と、
を備えることを特徴とする網戸装置。
【請求項２】
前記上部レール及び下部レールと前記平板パネルと前記網戸とが、窓枠内に設置されていることを特徴とする請求項１記載の網戸装置。
【請求項３】
前記平板パネルが窓の蝶番側の窓枠に密着しながら固定して設置され、前記網戸が前記上部レール及び前記下部レールに案内されて窓の幅方向に可動的に設置されていることを特徴とする請求項１又は２記載の網戸装置。
【請求項４】
前記網戸が窓の蝶番側の窓枠に密着しながら固定して設置され、前記平板パネルが前記上部レール及び前記下部レールに案内されて窓の幅方向に可動的に設置されていることを特徴とする請求項１又は２記載の網戸装置。
【請求項５】
外開き窓用のスライド式網戸装置であって、窓の室内側に窓と平行に可動的に設置された矩形の平板型網戸と、
窓蝶番側の窓外周壁の内部に前記網戸の一部を格納するためのスペースと、
前記外開き窓本体室内側表面の開閉操作用取っ手と窓ガラス面とに挟まれた位置に垂直方向に設置された縦長の角材と、
を備えることを特徴とする網戸装置。
【請求項６】
前記網戸の網面及び網戸枠に導電性の金属線を、又、室内にアラーム装置を備え、前記金属線と前記アラーム装置とは常時通電されており、電流断の検知により前記アラーム装置が警報を発する仕組みを備えることを特徴とする請求項１〜５のいずれか１項に記載の網戸装置。
【考案の詳細な説明】
【技術分野】
【０００１】
本考案は、実用新案登録３１８１２０７号の考案「外開き窓用のスライド式網戸装置」を改良する。
【背景技術】
【０００２】
１面の外開き窓においては、２面の引き戸を有する引き違い窓やテラス窓の場合のような横方向の移動範囲が確保できないことから、汎用のパネル網戸の設置が難しく、ロール網戸やアコーディオンタイプの網戸を設置することが多い。しかし、これらの網戸は高価である、構造が複雑で設置が難しい、耐久性に問題がある、清掃が難しい等の欠点がある。
【０００３】
上述の課題を解決するため、出願人は後述の実用新案登録３１８１２０７号により、上部レール・下部レール・窓枠に嵌め込まれた板（以下、「平板パネル」という）を具備することによって、外開き窓についても安価で取扱が容易なパネル網戸の設置を可能とした「外開き窓用のスライド式網戸装置」を提供した。
【先行技術文献】
【特許文献】
【０００４】
【特許文献１】実用新案登録３１８１２０７号公報
【考案の概要】
【考案が解決しようとする課題】
【０００５】
しかしながら、出願人は、自らの考案による前記「外開き窓用のスライド式網戸装置」を実施する中で、以下の課題を発見するに至った。
【０００６】
使用を終えて戸を閉じたとき、網戸は蝶番側にスライドさせた状態であるため、網戸使用中に網に付着していた虫を、取っ手側の窓枠と網戸枠との隙間から室内に取り込んでしまうことがある。
【０００７】
実用新案登録３１８１２０７号においては、本装置の構成要素である上下のレールと平板パネルのうち、少なくとも、上下のレールについては、室内側の窓枠外に設置することとしたが、窓枠周辺に、カーテン、ブラインド、スクリーン等が配置されている場合には、これらの物がレールを設置するうえで障害となることがある。また、窓枠外に設置されたレールの清掃にも手間がかかる。さらに、窓枠と装置を合わせた厚さと網戸の面積が大きくなり、外観上の問題も生ずる。
【０００８】
外開き窓の場合は、構造上、面格子を設置することができないため、網戸使用中の防犯対策がとりづらい。一方、現在市場に出回っているガラスの振動を検知する方式や窓の動きを検知するタイプの防犯システムは、高価なうえ、スイッチの入切が面倒だったり、誤動作やうっかり操作の心配がある。
【課題を解決するための手段】
【０００９】
上述の問題を解決した改良型外開き窓用スライド式網戸装置を提供することが本考案の要旨である。以下、説明する。
【００１０】
窓を閉じ、網戸を蝶番側に移動させたときに、網に張り付いた虫が室内に侵入する問題については、窓本体室内側表面の開閉操作用取っ手と窓ガラスとの間に、垂直方向にシンプルな角材（以後、「虫ストッパー」という）を取り付けた網戸装置を提供することによって解決した（図１及び２）。すなわち、窓を閉じた状態では、窓枠と網戸枠との間に出来る隙間が虫ストッパーによって塞がるため、網戸に張り付いていた虫は、網戸と窓、及び網戸と窓外周壁の間に閉じ込められる。閉じ込められた虫は、次回窓を開けた時に外へ開放されるか、死に絶える。
【００１１】
装置の設置に当たり、窓枠周辺に障害物が配置されていたり、窓枠と装置の厚さや網戸の面積が大きくなる問題については、装置全体を窓枠内に設置し、網戸又は平板パネルを窓枠の範囲内で動作させるようにした網戸装置を提供することによって解決した（図３）。
【００１２】
さらに、窓及び窓枠の設計段階で、本考案に係る網戸装置を構造的に取り入れることが可能な場合には、窓蝶番側の窓外周壁の内部に網戸の一部を格納するためのスペースを確保することによって、平板パネルとレールを用いずに、これらの機能を備えることを可能とする、機能的にも外観的にも優れた網戸装置を提供した（図５）。
【００１３】
網戸使用中の防犯対策については、網面及び網戸枠に導電性の金属線を、また、室内にアラーム装置を有する警報システムを備えた網戸装置を提供することによって解決した（図８）。すなわち、前記金属線と前記アラーム装置を常時通電状態にしておき、電流断の検知により前記アラーム装置が警報を発する仕組みを採用した。
【考案の効果】
【００１４】
虫ストッパーの設置により、窓を閉じたときに、網に張り付いていた虫を室内に取り込んでしまうことがなくなる。
【００１５】
装置全体を窓枠内に組み込むことにより、装置設置時に既設のカーテン、ブラインド、スクリーン等を移動させる必要がなくなる。また、前記虫ストッパーの厚さも含めて装置と窓の厚さを薄くすることができるため、窓の美観を損なうこともなくなる。さらに、清掃の範囲も狭くすることができる。
【００１６】
窓及び窓枠の設計段階で、本考案に係る網戸装置を構造的に取り入れることができる場合には、建築当初から平板網戸を窓枠内に埋め込むことで、平板パネルやレールを用いずに、機能的かつ優れたデザインの網戸システムを超低価格で実現することができる。
【００１７】
金属線と市販のアラーム装置から成るシンプルかつ安価な警報システムの設置により、安心して外開き窓用スライド式網戸装置を使用することができる。本システムは、窓の開閉に関わらず動作し、スイッチの操作等は必要ないので、日常生活上で起き得る、誤動作やうっかり操作の心配も無い。
【図面の簡単な説明】
【００１８】
【図１】窓枠に虫ストッパーを設置した網戸装置。
【図２】虫ストッパーを設置した窓を閉じた状態の網戸装置。
【図３】すべての構成要素を窓枠内に取り込んで設置した網戸装置。
【図４】網戸を固定し、平板パネルを可動的に設置した網戸装置。
【図５】上下レールと平板パネルを使用しない網戸装置。
【図６】構成要素のすべてを窓枠外に設置したフリーサイズの網戸装置。
【図７】平板パネルだけを窓枠内に設置したフリーサイズの網戸装置。
【図８】防犯装置を備えた網戸装置。
【考案を実施するための形態】
【００１９】
以下、本考案の実施の形態を図面を参照して説明する。
【００２０】
図１は、シンプルな角材から成る虫ストッパー１３を窓の本体９に取り付けた網戸装置を示す。網戸１の使用後に窓７を閉じたとき、窓の本体９と網戸枠２との間に生じる隙間を虫ストッパー１３が塞ぐため、網３についていた虫は、網戸１と窓７、及び網戸１と窓外周壁１２の間に閉じ込められ、室内に侵入することがなくなる（図２）。
【００２１】
図３は上部レール４、下部レール５、平板パネル６、及び網戸１を窓枠１１内に設置した網戸装置を示す。装置全体を窓枠１１内に納めることにより、窓周辺にカーテン、ブラインド、スクリーン等が設置されていても、それらを移動する必要がなくなる。また、断面図に示すように、窓枠を含めた装置全体の厚さも小さくなる。
【００２２】
図４は網戸１を固定し、平板パネル６を可動的に設置した網戸装置を示す。該網戸装置においては、網戸１は蝶番側に固定され、平板パネル６が、上部レール４と下部レール５によって案内されスライド移動する。
【００２３】
図５は、窓及び窓枠の設計段階で、本考案に係る網戸装置を構造的に取り入れることが可能な場合の網戸装置を示す。ここでは、平板パネルや上下レールを用いず、これらの機能を埋め込む形で窓全体を設計する。該装置においては、レールを設置せずとも、網戸１はスライド移動できるようになっている。また、網戸１を使用しないとき、又は取っ手８を操作するために網戸１を蝶番側に移動させたときは、網戸１の窓蝶番側の一定部分が窓外周壁１２の内部に格納されるようになっている。したがって、網戸１の幅を窓枠１１の幅より小さくする必要がなくなり、網戸１の可動幅を確保するための平板パネルも必要なくなる。
【００２４】
一方、図６は、本装置の構成要素である網戸１、上部レール４、下部レール５、及び平板パネル６を、すべて窓枠１１の外（室内側）に設置する網戸装置を示す。この装置の利点は、需要者が「フリーサイズ」として販売されている前記網戸の構成要素をセットで購入し、それを自分の家の窓のサイズに加工して設置することができる点にある。一方、業者は一定のサイズのものを汎用品として、通信販売等により販売することができる。この場合、購入者は、装置自体を薄くするために、平板パネル６のみを窓枠１１内に嵌め込んでもよい（図７）。
【００２５】
図８は、防犯装置を備えた網戸装置を示す。網戸１の網面に、エナメル線等の細い導線１４を、人が通れない程度の間隔で編みこむ。導線１４は、網３が破られたときには必ず切れるように強度を設定し、常時弱電流を流す。また、上部レール４及び下部レール５にはアルミ材等の導電素材を使用し、導線１４をそれぞれに接続しておく。網戸１の網面に、ひと筆書き状に張り巡らせた導線１４の両端は、網戸枠２の上下の少なくとも１点で上部レール４及び下部レール５に接触するように配置し、さらに上部レール４及び下部レール５は室内のアラーム装置１５と接続させる。これにより、網戸１が左右に移動している間も常に回路が通電状態になり、網３が切られるか、又は網戸１がレールから離脱すれば回路が切れてアラーム装置１５が警報を鳴らす。
【符号の説明】
【００２６】
１    網戸
２    網戸枠
３    網
４    上部レール
５    下部レール
６    平板パネル
７    外開き窓
８    取っ手
９    窓の本体
１０  窓ガラス
１１  窓枠
１２  窓外周壁
１３  虫ストッパー
１４  導線
１５  アラーム装置
【図１】
0003183380.tif 000003
【図２】
0003183380.tif 000004
【図３】
0003183380.tif 000005
【図４】
0003183380.tif 000006
【図５】
0003183380.tif 000007
【図６】
0003183380.tif 000008
【図７】
0003183380.tif 000009
【図８】
0003183380.tif 000010
【手続補正書】
【提出日】平成25年3月22日(2013.3.22)
【手続補正１】
【補正対象書類名】実用新案登録請求の範囲
【補正対象項目名】請求項６
【補正方法】変更
【補正の内容】
【請求項６】
前記網戸の網面及び網戸枠に、又は前記上下のレール間若しくは前記窓枠の上下間に導電性の金属線を、さらに室内にアラーム装置を備え、前記金属線と前記アラーム装置とは常時通電されており、電流断の検知により前記アラーム装置が警報を発する仕組みを備えることを特徴とする請求項１〜５のいずれか１項に記載の網戸装置。
【手続補正２】
【補正対象書類名】明細書
【補正対象項目名】全文
【補正方法】変更
【補正の内容】
【考案の詳細な説明】
【技術分野】
【０００１】
本考案は、実用新案登録３１８１２０７号の考案「外開き窓用のスライド式網戸装置」を改良する。
【背景技術】
【０００２】
１面の外開き窓においては、２面の引き戸を有する引き違い窓やテラス窓の場合のような横方向の移動範囲が確保できないことから、汎用のパネル網戸の設置が難しく、ロール網戸やアコーディオンタイプの網戸を設置することが多い。しかし、これらの網戸は高価である、構造が複雑で設置が難しい、耐久性に問題がある、清掃が難しい等の欠点がある。
【０００３】
上述の課題を解決するため、出願人は後述の実用新案登録３１８１２０７号により、上部レール・下部レール・窓枠に嵌め込まれた板（以下、「平板パネル」という）を具備することによって、外開き窓についても安価で取扱が容易なパネル網戸の設置を可能とした「外開き窓用のスライド式網戸装置」を提供した。
【先行技術文献】
【特許文献】
【０００４】
【特許文献１】実用新案登録３１８１２０７号公報
【考案の概要】
【考案が解決しようとする課題】
【０００５】
しかしながら、出願人は、自らの考案による前記「外開き窓用のスライド式網戸装置」を実施する中で、以下の課題を発見するに至った。
【０００６】
使用を終えて戸を閉じたとき、網戸は蝶番側にスライドさせた状態であるため、網戸使用中に網に付着していた虫を、取っ手側の窓枠と網戸枠との隙間から室内に取り込んでしまうことがある。
【０００７】
実用新案登録３１８１２０７号においては、本装置の構成要素である上下のレールと平板パネルのうち、少なくとも、上下のレールについては、室内側の窓枠外に設置することとしたが、窓枠周辺に、カーテン、ブラインド、スクリーン等が配置されている場合には、これらの物がレールを設置するうえで障害となることがある。また、窓枠外に設置されたレールの清掃にも手間がかかる。さらに、窓枠と装置を合わせた厚さと網戸の面積が大きくなり、外観上の問題も生ずる。
【０００８】
外開き窓の場合は、構造上、面格子を設置することができないため、網戸使用中の防犯対策がとりづらい。一方、現在市場に出回っているガラスの振動を検知する方式や窓の動きを検知するタイプの防犯システムは、高価なうえ、スイッチの入切が面倒だったり、誤動作やうっかり操作の心配がある。
【課題を解決するための手段】
【０００９】
上述の問題を解決した改良型外開き窓用スライド式網戸装置を提供することが本考案の要旨である。以下、説明する。
【００１０】
窓を閉じ、網戸を蝶番側に移動させたときに、網に張り付いた虫が室内に侵入する問題については、窓本体室内側表面の開閉操作用取っ手と窓ガラスとの間に、垂直方向にシンプルな角材（以後、「虫ストッパー」という）を取り付けた網戸装置を提供することによって解決した（図１及び２）。すなわち、窓を閉じた状態では、窓枠と網戸枠との間に出来る隙間が虫ストッパーによって塞がるため、網戸に張り付いていた虫は、網戸と窓、及び網戸と窓外周壁の間に閉じ込められる。閉じ込められた虫は、次回窓を開けた時に外へ開放されるか、死に絶える。
【００１１】
装置の設置に当たり、窓枠周辺に障害物が配置されていたり、窓枠と装置の厚さや網戸の面積が大きくなる問題については、装置全体を窓枠内に設置し、網戸又は平板パネルを窓枠の範囲内で動作させるようにした網戸装置を提供することによって解決した（図３）。
【００１２】
さらに、窓及び窓枠の設計段階で、本考案に係る網戸装置を構造的に取り入れることが可能な場合には、窓蝶番側の窓外周壁の内部に網戸の一部を格納するためのスペースを確保することによって、平板パネルとレールを用いずに、これらの機能を備えることを可能とする、機能的にも外観的にも優れた網戸装置を提供した（図５）。
【００１３】
網戸使用中の防犯対策については、網戸の網面及び網戸枠に、又は上下のレール間若しくは窓枠の上下間に導電性の金属線を設置し、該金属線を室内のアラーム装置と連結させた警報システムを備える網戸装置を提供することによって解決した（図８乃至１０）。すなわち、前記金属線と前記アラーム装置を常時通電状態にしておき、電流断の検知により前記アラーム装置が警報を発する仕組みを採用した。
【考案の効果】
【００１４】
虫ストッパーの設置により、窓を閉じたときに、網に張り付いていた虫を室内に取り込んでしまうことがなくなる。
【００１５】
装置全体を窓枠内に組み込むことにより、装置設置時に既設のカーテン、ブラインド、スクリーン等を移動させる必要がなくなる。また、前記虫ストッパーの厚さも含めて装置と窓の厚さを薄くすることができるため、窓の美観を損なうこともなくなる。さらに、清掃の範囲も狭くすることができる。
【００１６】
窓及び窓枠の設計段階で、本考案に係る網戸装置を構造的に取り入れることができる場合には、建築当初から平板網戸を窓枠内に埋め込むことで、平板パネルやレールを用いずに、機能的かつ優れたデザインの網戸システムを超低価格で実現することができる。
【００１７】
金属線と市販のアラーム装置から成るシンプルかつ安価な警報システムの設置により、安心して外開き窓用スライド式網戸装置を使用することができる。本システムは、窓の開閉に関わらず動作し、スイッチの操作等は必要ないので、日常生活上で起き得る、誤動作やうっかり操作の心配も無い。
【図面の簡単な説明】
【００１８】
【図１】窓枠に虫ストッパーを設置した網戸装置。
【図２】虫ストッパーを設置した窓を閉じた状態の網戸装置。
【図３】すべての構成要素を窓枠内に取り込んで設置した網戸装置。
【図４】網戸を固定し、平板パネルを可動的に設置した網戸装置。
【図５】上下レールと平板パネルを使用しない網戸装置。
【図６】構成要素のすべてを窓枠外に設置したフリーサイズの網戸装置。
【図７】平板パネルだけを窓枠内に設置したフリーサイズの網戸装置。
【図８】防犯装置を備えた網戸装置（例１）。
【図９】防犯装置を備えた網戸装置（例２）。
【図１０】防犯装置を備えた網戸装置（例３）。
【図１１】平板パネルの４辺内を網にした網戸装置（窓閉時）
【図１２】平板パネルの４辺内を網にした網戸装置（窓開時）
【考案を実施するための形態】
【００１９】
以下、本考案の実施の形態を図面を参照して説明する。
【実施例１】
【００２０】
図１は、シンプルな角材から成る虫ストッパー１３を窓の本体９に取り付けた網戸装置を示す。網戸１の使用後に窓７を閉じたとき、窓の本体９と網戸枠２との間に生じる隙間を虫ストッパー１３が塞ぐため、網３についていた虫は、網戸１と窓７、及び網戸１と窓外周壁１２の間に閉じ込められ、室内に侵入することがなくなる（図２）。
【００２１】
図３は上部レール４、下部レール５、平板パネル６、及び網戸１を窓枠１１内に設置した網戸装置を示す。装置全体を窓枠１１内に納めることにより、窓周辺にカーテン、ブラインド、スクリーン等が設置されていても、それらを移動する必要がなくなる。また、断面図に示すように、窓枠を含めた装置全体の厚さも小さくなる。
【００２２】
図４は網戸１を固定し、平板パネル６を可動的に設置した網戸装置を示す。該網戸装置においては、網戸１は蝶番側に固定され、平板パネル６が、上部レール４と下部レール５によって案内されスライド移動する。
【００２３】
図５は、窓及び窓枠の設計段階で、本考案に係る網戸装置を構造的に取り入れることが可能な場合の網戸装置を示す。ここでは、平板パネルや上下レールを用いず、これらの機能を埋め込む形で窓全体を設計する。該装置においては、レールを設置せずとも、網戸１はスライド移動できるようになっている。また、網戸１を使用しないとき、又は取っ手８を操作するために網戸１を蝶番側に移動させたときは、網戸１の窓蝶番側の一定部分が窓外周壁１２の内部に格納されるようになっている。したがって、網戸１の幅を窓枠１１の幅より小さくする必要がなくなり、網戸１の可動幅を確保するための平板パネルも必要なくなる。
【００２４】
一方、図６は、本装置の構成要素である網戸１、上部レール４、下部レール５、及び平板パネル６を、すべて窓枠１１の外（室内側）に設置する網戸装置を示す。この装置の利点は、需要者が「フリーサイズ」として販売されている前記網戸の構成要素をセットで購入し、それを自分の家の窓のサイズに加工して設置することができる点にある。一方、業者は一定のサイズのものを汎用品として、通信販売等により販売することができる。この場合、購入者は、装置自体を薄くするために、平板パネル６のみを窓枠１１内に嵌め込んでもよい（図７）。
【００２５】
図８乃至図１０は、防犯装置を備えた網戸装置の実施例を示す。
図８は、網戸１の網面に、エナメル線等の細い導線１４を、人が通れない程度の間隔で編みこむ、又は貼り付ける。導線１４は、網３が破られたときには必ず切れるように強度を設定し、常時弱電流を流す。また、上部レール４及び下部レール５にはアルミ材等の導電素材を使用し、導線１４をそれぞれに接続しておく。網戸１の網面に、ひと筆書き状に張り巡らせた導線１４の両端は、網戸枠２の上下の少なくとも１点で上部レール４及び下部レール５に接触するように配置し、さらに上部レール４及び下部レール５は室内のアラーム装置１５と接続させる。これにより、網戸１が左右に移動している間も常に回路が通電状態になり、網３が切られるか、又は網戸１がレールから離脱すれば回路が切れてアラーム装置１５が警報を鳴らす。
【００２６】
図９では、導線１４は、網戸を通さずに、上部レール４と下部レール５の間を複数回往復する形でループ型に設置する。導線同士の間隔は図８と同様、人が通れない程度の幅にし、導線間を人が通ろうしたときに、導線がレールからはずれずに切れるように設定しておく。さらに導線１４の両端は室内のアラーム装置１５と接続させる。これにより、レール間に張り巡らせた導線１４とアラーム装置１５は常時通電状態の回路を形成し、導線１４が切れると回路が切れてアラーム装置１５が警報を鳴らす。
【００２７】
図１０は、図９の方法を、さらに簡単にしたものである。すなわち、レールに導線を設置せずに、直接窓枠１１の上部及び下部にループ型に導線を張った場合の例を示す。導線同士の間隔、導線の強度、窓枠との接触具合は、図９の場合と同様である。図９及び図１０に示す防犯装置の例は、導線を網戸と関係なく上下に設置するため、外開き窓に限らず、ひき違い窓やその他一般的な窓にも適用可能である。
【実施例２】
【００２８】
実施例１では、平板パネル６の材質について限定しないが、通常は木製又は樹脂製となる。これに対して実施例２は、平板パネル６の４辺に囲まれた内部を網にするものである。
【００２９】
前記平板パネル６の４辺に囲まれた内部を網にすることにより、本網戸装置使用時の風通しをさらによくすることができる。図１１は本実施例の網戸装置の、窓を閉じた状態を、また図１２は窓を開いたときの状態を示す。
【符号の説明】
【００３０】
１    網戸
２    網戸枠
３    網
４    上部レール
５    下部レール
６    平板パネル
７    外開き窓
８    取っ手
９    窓の本体
１０  窓ガラス
１１  窓枠
１２  窓外周壁
１３  虫ストッパー
１４  導線
１５  アラーム装置
【手続補正３】
【補正対象書類名】図面
【補正対象項目名】全図
【補正方法】変更
【補正の内容】
【図１】
0003183380.tif 000011
【図２】
0003183380.tif 000012
【図３】
0003183380.tif 000013
【図４】
0003183380.tif 000014
【図５】
0003183380.tif 000015
【図６】
0003183380.tif 000016
【図７】
0003183380.tif 000017
【図８】
0003183380.tif 000018
【図９】
0003183380.tif 000019
【図１０】
0003183380.tif 000020
【図１１】
0003183380.tif 000021
【図１２】
0003183380.tif 000022